(57)【要約】【課題】的確な情報取得により利便性を向上させることのできる情報管理装置を提供する。【解決手段】画像形成装置（ＰＲ１〜３）と通信を行う通信手段（ＬＡＮインターフェイス部１００、２００）と、通信手段を介して画像形成装置に関する情報を取得する取得手段（ＭＩＢ情報取得部２０１）と、取得した前記画像形成装置に関する情報を格納する格納手段（情報格納部２０２）と、格納されている画像形成装置に関する情報を解析して前記画像形成装置が自社製であるか他社製であるかを判別する判別手段（自社機、他社機判別部２０３）と、判別結果に関する情報を表示する表示手段（表示モニタ３００）とを少なくとも備える。【選択図】図２
2011028365.tif 000002
【特許請求の範囲】
【請求項１】
画像形成装置と通信を行う通信手段と、
前記通信手段を介して前記画像形成装置に関する情報を取得する取得手段と、
該取得手段で取得した前記画像形成装置に関する情報を格納する格納手段と、
該格納手段に格納されている前記画像形成装置に関する情報を解析して前記画像形成装置が自社製であるか他社製であるかを判別する判別手段と、
該判別手段による判別結果に関する情報を表示する表示手段と、
を少なくとも備えることを特徴とする情報管理装置。
【請求項２】
前記取得手段による前記画像形成装置に関する情報の取得は、当該画像形成装置が準拠するＭＩＢ（Ｍａｎａｇｅｍｅｎｔ  Ｉｎｆｏｒｍａｔｉｏｎ  Ｂａｓｅ）情報に基づいて行われることを特徴とする請求項１に記載の情報管理装置。
【請求項３】
前記ＭＩＢ情報は、ｓｙｓＤｅｓｃｒ、およびｈｒＤｅｖｉｃｅＤｅｓｃｒを少なくとも含み、
前記判別手段は、前記ｓｙｓＤｅｓｃｒに基づいて自社製であるか他社製であるかを判別することを特徴とする請求項２に記載の情報管理装置。
【請求項４】
前記ＭＩＢ情報に基づいて前記画像形成装置の機種名を抽出する抽出手段を備え、
前記判別手段により前記画像形成装置が自社製であると判別された場合には、前記抽出手段は、前記ｓｙｓＤｅｓｃｒに含まれる情報を加工して機種名を抽出し、
前記表示手段は、前記抽出手段で抽出された前記機種名を表示することを特徴とする請求項３に記載の情報管理装置。
【請求項５】
前記ＭＩＢ情報に基づいて前記画像形成装置の機種名を抽出する抽出手段を備え、
前記判別手段により前記画像形成装置が他社製であると判別された場合には、前記抽出手段は、前記ｈｒＤｅｖｉｃｅＤｅｓｃｒに含まれる情報を加工して機種名を抽出し、
前記表示手段は、前記抽出手段で抽出された前記機種名を表示することを特徴とする請求項３または請求項４の何れかに記載の情報管理装置。
【請求項６】
請求項１から請求項５の何れかに記載の少なくとも１の情報管理装置と、
通信手段を介して情報管理装置と接続される１または２以上の画像形成装置と、
から構成されることを特徴とする情報管理システム。
【請求項７】
画像形成装置と通信を行う通信過程と、
前記画像形成装置に関する情報を取得する取得過程と、
取得した前記画像形成装置に関する情報を格納する格納過程と、
格納されている前記画像形成装置に関する情報を解析して前記画像形成装置が自社製であるか他社製であるかを判別する判別過程と、
該判別過程による判別結果に関する情報を表示する表示過程と、
を演算手段に実行させることを特徴とする情報管理プログラム。
【発明の詳細な説明】
【技術分野】
【０００１】
本発明は、情報管理装置、情報管理装置システムおよび情報管理プログラムに関するものである。
【背景技術】
【０００２】
従来から、画像形成装置等の画像形成装置が準拠するＭＩＢ（Ｍａｎａｇｅｍｅｎｔ  Ｉｎｆｏｒｍａｔｉｏｎ  Ｂａｓｅ）情報を参照して所定の情報を取得して表示する技術が種々存在する。
【０００３】
例えば、特開２００７−１０９２１５号公報にはＭＩＢ情報に含まれるｓｙｓＮａｍｅを参照する技術が、特開２００４−５５４３号公報にはＭＩＢ情報に含まれるｓｙｓＤｅｓｃｒを参照する技術が、特開２００６−２３５８２７号公報にはＭＩＢ情報に含まれるｈｒＤｅｖｉｃｅＤｅｓｃｒを参照する技術がそれぞれ開示されている。
【０００４】
ここで、ｓｙｓＮａｍｅには画像形成装置の管理用名称が含まれており、ユーザ等により書き換えが可能となっている。
【０００５】
また、ｓｙｓＤｅｓｃｒは装置の説明に関する情報であり、画像形成装置の正式名称、システムのハードウェアタイプ、ソフトウェア、ＯＳ（Ｏｐｅｒａｔｉｎｇ  Ｓｙｓｔｅｍ）、ネットワークソフトウェアの各バージョンに関する情報等が含まれる。装置全体の説明であるため、メーカーによっては画像形成装置の機種名を特定する情報が含まれていない場合がある。
【０００６】
また、ｈｒＤｅｖｉｃｅＤｅｓｃｒは画像形成装置の説明であり、装置のメーカ、レビジョン（バージョン）、シリアル番号などが含まれる。
【先行技術文献】
【特許文献】
【０００７】
【特許文献１】特開２００７−１０９２１５号公報
【特許文献２】特開２００４−５５４３号公報
【特許文献３】特開２００６−２３５８２７号公報
【発明の概要】
【発明が解決しようとする課題】
【０００８】
本発明は、的確な情報取得により利便性を向上させることのできる情報管理装置、情報管理装置システムおよび情報管理プログラムを提供することを目的とする。
【課題を解決するための手段】
【０００９】
前記課題を解決するため、請求項１の発明に係る情報管理装置は、画像形成装置と通信を行う通信手段と、前記通信手段を介して前記画像形成装置に関する情報を取得する取得手段と、該取得手段で取得した前記画像形成装置に関する情報を格納する格納手段と、該格納手段に格納されている前記画像形成装置に関する情報を解析して前記画像形成装置が自社製であるか他社製であるかを判別する判別手段と、該判別手段による判別結果に関する情報を表示する表示手段とを少なくとも備えることを特徴とする。
【００１０】
請求項２の発明に係る情報管理装置は、請求項１に記載の発明について、前記取得手段による前記画像形成装置に関する情報の取得は、当該画像形成装置が準拠するＭＩＢ（Ｍａｎａｇｅｍｅｎｔ  Ｉｎｆｏｒｍａｔｉｏｎ  Ｂａｓｅ）情報に基づいて行われることを特徴とする。
【００１１】
請求項３の発明に係る情報管理装置は、請求項２に記載の発明について、前記ＭＩＢ情報は、ｓｙｓＤｅｓｃｒ、およびｈｒＤｅｖｉｃｅＤｅｓｃｒを少なくとも含み、前記判別手段は、前記ｓｙｓＤｅｓｃｒに基づいて自社製であるか他社製であるかを判別することを特徴とする。
【００１２】
請求項４の発明に係る情報管理装置は、請求項３に記載の発明について、前記ＭＩＢ情報に基づいて前記画像形成装置の機種名を抽出する抽出手段を備え、前記判別手段により前記画像形成装置が自社製であると判別された場合には、前記抽出手段は、前記ｓｙｓＤｅｓｃｒに含まれる情報を加工して機種名を抽出し、前記表示手段は、前記抽出手段で抽出された前記機種名を表示することを特徴とする。
【００１３】
請求項５の発明に係る情報管理装置は、請求項３または請求項４の何れかに記載の発明について、前記ＭＩＢ情報に基づいて前記画像形成装置の機種名を抽出する抽出手段を備え、前記判別手段により前記画像形成装置が他社製であると判別された場合には、前記抽出手段は、前記ｈｒＤｅｖｉｃｅＤｅｓｃｒに含まれる情報を加工して機種名を抽出し、前記表示手段は、前記抽出手段で抽出された前記機種名を表示することを特徴とする。
【００１４】
請求項６の発明に係る情報管理システムは、請求項１から請求項５の何れかに記載の少なくとも１の情報管理装置と、通信手段を介して情報管理装置と接続される１または２以上の画像形成装置とから構成されることを特徴とする。
【００１５】
請求項７の発明に係る情報管理プログラムは、画像形成装置と通信を行う通信過程と、前記画像形成装置に関する情報を取得する取得過程と、取得した前記画像形成装置に関する情報を格納する格納過程と、格納されている前記画像形成装置に関する情報を解析して前記画像形成装置が自社製であるか他社製であるかを判別する判別過程と、該判別過程による判別結果に関する情報を表示する表示過程とを演算手段に実行させることを特徴とする。
【発明の効果】
【００１６】
本発明によれば以下の効果を奏することができる。
【００１７】
すなわち、請求項１に記載の発明によれば、的確な情報取得により利便性を向上させることのできる情報管理装置を提供することができる。
【００１８】
請求項２に記載の発明によれば、ＭＩＢ情報を用いた的確な情報取得により利便性を向上させることのできる情報管理装置を提供することができる。
【００１９】
請求項３に記載の発明によれば、自社製であるか他社製であるかを判別して利便性を一層向上させることのできる情報管理装置を提供することができる。
【００２０】
請求項４に記載の発明によれば、機種名を表示して、利便性を一層向上させることのできる情報管理装置を提供することができる。
【００２１】
請求項５に記載の発明によれば、機種名を表示して、利便性を一層向上させることのできる情報管理装置を提供することができる。
【００２２】
請求項６に記載の発明によれば、的確な情報取得により利便性を向上させることのできる情報管理システムを提供することができる。
【００２３】
請求項７に記載の発明によれば、的確な情報取得により利便性を向上させることのできる情報管理プログラムを提供することができる。
【図面の簡単な説明】
【００２４】
【図１】実施の形態に係る情報管理システムＳ１の構成を示すブロック図である。
【図２】実施の形態に係る情報管理システムＳ１の構成を示す機能ブロック図である。
【図３】機種名抽出処理の処理手順を示すフローチャートである。
【発明を実施するための形態】
【００２５】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２６】
図１から図３を参照して、本発明についての実施の形態に係る情報管理システムＳ１について説明する。
【００２７】
図１および図２に示すように、情報管理システムＳ１は、印刷用紙等の記録媒体に画像形成を行う画像形成装置あるいは複合機等の画像形成装置ＰＲ１〜ＰＲ３と、ＬＡＮ等のネットワークＮを介して画像形成装置ＰＲ１〜ＰＲ３と接続されて各画像形成装置ＰＲ１〜ＰＲ３が備える各種消耗品（トナー、感光体ドラム等）の状態に関する情報を管理するパーソナルコンピュータ等で構成される情報管理装置ＰＣ１とから構成される。
【００２８】
なお、本実施の形態では、３台の画像形成装置ＰＲ１〜ＰＲ３が接続される場合を示すが、画像形成装置の接続台数は任意である。
【００２９】
また、本実施の形態では、各画像形成装置ＰＲ１〜ＰＲ３はそれぞれ別のメーカーＡ社、Ｂ社、Ｃ社の製品であるものとする。
【００３０】
これらの画像形成装置ＰＲ１〜ＰＲ３は、メーカーが異なっても共通に準拠するＭＩＢ（Ｍａｎａｇｅｍｅｎｔ  Ｉｎｆｏｒｍａｔｉｏｎ  Ｂａｓｅ）情報を備えており、各種消耗品の消耗状態等に関する情報の他に、機種名等に関す情報を統一した規格で取得できるようになっている。
【００３１】
ここで、ＭＩＢとは、ＳＮＭＰで管理されるネットワーク機器（本実施の形態においては画像形成装置ＰＲ１）が、自分の状態を外部に知らせるために公開する情報のことをいう。ＲＦＣ  １１５６として規定されているＭＩＢ１と、ＲＦＣ  １２１３で規定されているＭＩＢ２があり、現在では後者を使うのが一般的である。
【００３２】
各画像形成装置ＰＲ１〜ＰＲ３は、ネットワークＮに接続するＬＡＮインターフェイス部１００（通信手段の一例）をそれぞれ備えている。
【００３３】
なお、各画像形成装置ＰＲ１〜ＰＲ３において、本発明と直接関連しない構成については図示等を省略する。
【００３４】
一方、情報管理装置ＰＣ１が備えるハードディスク装置等の記録装置には、ＭＩＢ情報の取得を行うプログラム、自社機、他社機の判別を行うプログラム、機種名を抽出するプログラム等がインストールされ、所定のＯＳ上で動作するようになっている。
【００３５】
情報管理装置ＰＣ１は、ネットワークＮに接続するＬＡＮインターフェイス部２００（通信手段の一例）と、画像形成装置ＰＲ１〜ＰＲ３が備えるＭＩＢ情報を取得するＭＩＢ情報取得部２０１（取得手段の一例）と、ＭＩＢ情報取得部２０１で取得した消耗品に関する情報を格納する不揮発性メモリ等で構成される情報格納部２０２（格納手段の一例）と、自社機、他社機の判別を行う自社機、他社機判別部２０３（判別手段の一例）と、ＭＩＢ情報に基づいて機種名を抽出する機種名抽出部２０４（抽出手段の一例）と、自社機、他社機の判別結果や、機種名等を表示する液晶ディスプレイ等で構成される表示モニタ３００（表示手段の一例）を用いて表示する制御を行う表示制御部２０５とを備える。
【００３６】
なお、自社機、他社機判別部２０３および機種名抽出部２０４は、図１に示すように、プリンタ名加工部４００、プリンタ名記憶部４０１で構成するようにしてもよい。
【００３７】
次に、図３のフローチャートを参照して、上記構成の情報管理システムＳ１で実行される機種名抽出処理の処理手順について説明する。
【００３８】
まず、ステップＳ１０では、ＭＩＢ情報からｓｙｓＤｅｓｃｒを読み込んでステップＳ１１に移行する。
【００３９】
ステップＳ１１では、ｓｙｓＤｅｓｃｒの先頭の文字列が自社ブランド名（自社メーカー名）であるか否かが判定される。
【００４０】
即ち、例えば、ＦＵＪＩ  Ｘｅｒｏｘ社製である場合を自社製とする場合であって、画像形成装置ＰＲ１〜３の何れかがＦＵＪＩ  Ｘｅｒｏｘ社である場合に、ｓｙｓＤｅｓｃｒの先頭の文字列が例えば、「ＦＵＪＩ  Ｘｅｒｏｘ、ＦＵＪＩＸＥＯＲＸ、ＦＸ」の何れかに該当するか否かが判定される。
【００４１】
そして、判定結果が「Ｙｅｓ」の場合にはステップＳ１２に移行して、先頭の自社ブランド名（例：ＦＵＪＩ  Ｘｅｒｏｘ、ＦＵＪＩＸｅｒｏｘ、ＦＸ）を削除する。
【００４２】
次いで、ステップＳ１３でｓｙｓＤｅｓｃｒの後方のデリミタ（セミコロン、ブランクセミコロン、ブランク、カンマ、ブランク括弧、ブランクスラッシュ等の区切り文字）以降を削除し、ステップＳ１４でｓｙｓＤｅｓｃｒの残りの部分を機種名として処理を終了する。
【００４３】
即ち、例えば画像形成装置ＰＲ１のｓｙｓＤｅｓｃｒが、「ＦＵＪＩ  ＸＥＲＯＸ  ＤｏｃｕＰｒｉｎｔ  Ｃ３０５０；  ＮＩＣ  １３．１３，ＥＳＳ  ２００７０２０８１４１６，ＩＯＴ  ０１．００．０４」である場合に、上述のステップＳ１２にあるように、ｓｙｓＤｅｓｃｒの先頭の自社ブランド名であるＦＵＪＩ  ＸＥＲＯＸの文字列を削除し、次いで、ステップＳ１３にあるようにｓｙｓＤｅｓｃｒの後方のデリミタ以降を削除することにより、「ＤｏｃｕＰｒｉｎｔ  Ｃ３０５０」というような機種名が抽出される。
【００４４】
一方、ステップＳ１１で「Ｎｏ」（自社ブランド名でない）と判定された場合には、ステップＳ１５に移行して、ＭＩＢ情報にｈｒＤｅｖｉｃｅＤｅｓｃｒは存在するか否かが判定される。
【００４５】
そして、「Ｎｏ」の場合にはステップＳ１６に移行して、ｓｙｓＤｅｓｃｒを機種名にして処理を終了する。
【００４６】
即ち、例えば画像形成装置ＰＲ２が、Ｃａｎｏｎ社製のＬＢＰ５５００という機種で、ｈｒＤｅｖｉｃｅＤｅｓｃｒが存在しない場合には、ｓｙｓＤｅｓｃｒは「ＬＢＰ５５００  ／Ｐ  ＥＥＰＲＯＭ１０００」であるので、ステップＳ１６にあるように「ＬＢＰ５５００  ／Ｐ  ＥＥＰＲＯＭ１０００」を機種名とする。
【００４７】
一方、ステップＳ１５で「Ｙｅｓ」と判定された場合にはステップＳ１７に移行して、ｈｒＤｅｖｉｃｅＤｅｓｃｒの後方のデリミタ以降を削除し、ステップＳ１８でｈｒＤｅｖｉｃｅＤｅｓｃｒの残りの部分を機種名にして処理を終了する。
【００４８】
即ち、例えば画像形成装置ＰＲ３が、ＨＰ社製のＤｅｓｉｇｎｊｅｔ  ４０００ｐｓという機種で、ｈｒＤｅｖｉｃｅＤｅｓｃｒが「ＨＰ  Ｄｅｓｉｇｎｊｅｔ  ４０００ｐｓ  （４２′′  ｓｉｚｅｄ）」の場合には、ステップＳ１７にあるようにデリミタ（この例では、「（」以降を削除した「ＨＰ  Ｄｅｓｉｇｎｊｅｔ  ４０００ｐｓ」を機種名とする。
【００４９】
以上のような処理を行うことにより、マルチベンダー環境下において、自社機は社名無しで（例えば、ＤｏｃｕＰｒｉｎｔ  Ｃ２２５０）、他社機は社名有り（例えば、ＥＰＳＯＮ  ＬＰ−Ｖ５００）として画像形成装置の機種名が取得され、表示モニタ３００へ表示され、ユーザの利便性が向上される。
【００５０】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００５１】
また、プログラムを用いる場合には、ネットワークを介して提供し、或いはＣＤ−ＲＯＭ等の記録媒体に格納して提供することが可能である。
【００５２】
即ち、画像処理プログラムを含む所定のプログラムを記録媒体としてのハードディスク等の記憶装置に記録する場合に限らず、当該所定のプログラムを次のようにして提供することも可能である。
【００５３】
例えば、所定のプログラムをＲＯＭに格納しておき、ＣＰＵが、この所定のプログラムをこのＲＯＭから主記憶装置へローディングして実行するようにしてもよい。
【００５４】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００５５】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００５６】
本発明による情報管理装置、情報管理装置システムおよび情報管理プログラムは、ネットワーク機能を有する画像形成装置や複合機等に適用することができる。
【符号の説明】
【００５７】
Ｓ１  情報管理システム
ＰＣ１  情報管理装置
ＰＲ１〜ＰＲ３  画像形成装置
１００  ＬＡＮインターフェイス部
２００  ＬＡＮインターフェイス部
２０１  ＭＩＢ情報取得部
２０２  情報格納部
２０３  自社機、他社機判別部
２０４  機種名抽出部
２０５  表示制御部
３００  表示モニタ
Ｎ  ネットワーク
【図１】
2011028365.tif 000003
【図２】
2011028365.tif 000004
【図３】
2011028365.tif 000005